【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
電子写真方式を用いて記録部材に画像形成を行う画像形成部と、
該画像形成部から搬送された記録部材を一対の定着加圧回転体により加熱および加圧して前記記録部材上の画像を定着せしめる定着装置と、
１面目に画像が印刷された前記記録部材の２面目に印刷するために前記記録部材を反転する反転機構と、
該反転機構により反転された記録部材を再給紙する再給紙機構と、
前記画像形成部と前記定着加圧回転体とを独立に回転駆動させる駆動手段と、
前記記録部材の１面目の印刷に引き続いて該記録部材の２面目を印刷する場合、前記記録部材が前記定着装置を通過した後、２面目を印刷する前に、前記駆動手段による前記定着加圧回転体の回転駆動を一時的に停止させる制御手段と
を備えたことを特徴とする印刷装置。
【請求項２】
前記制御手段は、前記記録部材の１面目の印刷に引き続いて該記録部材の２面目に印刷する場合、前記記録部材が前記定着装置を通過した後に、前記定着加圧回転体の回転駆動を停止させ、前記記録部材を反転して再給紙を行い、２面目の画像形成を開始するとともに前記定着加圧回転体の回転駆動を再開させることを特徴とする請求項１に記載の印刷装置。
【請求項３】
前記制御手段は、前記記録部材の１面目の印刷に引き続いて該記録部材の２面目を印刷する場合、前記記録部材が前記定着装置を通過した後に、前記定着加圧回転体の回転駆動を停止させ、前記記録部材を反転して再給紙を行い、２面目が前記定着装置に到達するときに前記定着加圧回転体が所定速度で回転しているように、前記定着加圧回転体の回転立ち上がり時間分遡った時点以前に前記定着加圧回転体の回転駆動を再開させることを特徴とする請求項２に記載の印刷装置。
【請求項４】
前記制御手段は、前記記録部材の１面目の印刷に引き続いて該記録部材の２面目を印刷する場合、前記記録部材の１面目への画像形成が完了した後に、一時的に電子写真プロセスの高圧印加を立ち下げることを特徴とする請求項１に記載の印刷装置。
【請求項５】
前記制御手段は、前記記録部材の１面目の印刷に引き続いて該記録部材の２面目を印刷する場合、前記記録部材の１面目への画像形成が完了した後に、電子写真プロセスの高圧印加を立ち下げて前記画像形成部の回転駆動を停止させ、前記記録部材を反転して再給紙を行い、２面目の画像形成を開始するときに前記電子写真プロセスの高圧が立ち上がっているように、前記画像形成部の回転立ち上がり時間分および前記電子写真プロセスの高圧立ち上がり時間分を加えた時間分だけ少なくとも遡った時点で前記画像形成部の回転駆動を再開させ、前記電子写真プロセスの高圧立ち上げを行うことを特徴とする請求項４に記載の印刷装置。
【請求項６】
前記画像形成部を露光走査するための回転多面鏡をさらに備え、前記記録部材の１面目の印刷に引き続いて該記録部材の２面目を印刷する前に前記定着加圧回転体あるいは前記画像形成部の回転を停止させている時であっても、前記回転多面鏡の回転駆動を継続することを特徴とする請求項１〜５のいずれかに記載の印刷装置。
【請求項７】
前記定着加圧回転体を加熱させるヒータの駆動を制御するヒータ駆動制御手段をさらに備え、前記ヒータ駆動制御手段は、前記記録部材の１面目の印刷に引き続いて該記録部材の２面目を印刷する場合、前記定着加圧回転体の回転を停止させている期間、ヒータ駆動を行わないことを特徴とする請求項１〜６のいずれかに記載の印刷装置。
【請求項８】
前記定着加圧回転体を加熱させるヒータの駆動を制御するヒータ駆動制御手段をさらに備え、前記ヒータ駆動制御手段は、印刷を行わない待機状態の期間は、前記定着加圧回転体が第１の温度となるように、印刷を行っている印刷状態の期間は、前記定着加圧回転体が第２の温度となるようにヒータの駆動を制御するとともに、前記記録部材の１面目の印刷に引き続いて該記録部材の２面目を印刷する場合、前記定着加圧回転体の回転を停止させている期間は、前記定着加圧回転体が第３の温度となるようにヒータの駆動を制御することを特徴とする請求項１〜６のいずれかに記載の印刷装置。
【請求項９】
前記第３の温度は前記第１の温度より高く、前記第２の温度以下であることを特徴とする請求項８に記載の印刷装置。
【請求項１０】
電子写真方式を用いて記録部材に画像形成を行う画像形成部と、
該画像形成部から搬送された記録部材を一対の定着加圧回転体により加熱および加圧して前記記録部材上の画像を定着せしめることにより画像を印刷する定着装置と、
１面目に画像が印刷された前記記録部材の２面目に印刷するために前記記録部材を反転する反転機構と、
該反転機構により反転された記録部材を再給紙する再給紙機構と、
印刷条件を指定した印刷動作の予約指示に基づいて前記画像形成部、定着装置、反転機構および再給紙機構により実行される印刷動作を予約するとともに予約された印刷動作の印刷条件をメモリに記憶する印刷予約手段と、
前記メモリに記憶された印刷条件で予約された印刷動作を行う印刷制御手段と、
前記記録部材の１面目の印刷に引き続いて該記録部材の２面目を印刷するかどうかを判断する判断手段と
を備えたことを特徴とする印刷装置。
【請求項１１】
前記判断手段は、１面目の画像形成又は定着の完了時に、次に予約されている印刷動作の印刷条件に基づいて前記記録部材の１面目の印刷に引き続いて該記録部材の２面目を印刷するかどうかを判断することを特徴とする請求項１０に記載の印刷装置。
【請求項１２】
前記印刷制御手段は、さらに、前記記録部材の１面目の印刷の次に印刷動作が予約されていない場合、当該１面目の印刷終了後、電子写真プロセスの高圧立ち下げ、前記画像形成部の回転駆動停止、前記定着加圧回転体の回転駆動停止を行い、前記定着加圧回転体を加熱させるヒータ駆動の温度を低下させ、前記電子写真プロセスの走査を行うスキャナモータの回転駆動の停止を行なって、待機状態へ移行させ、
前記記録部材の１面目の印刷の次に印刷動作が予約されており、予約されている印刷動作の印刷条件がその記録部材の２面目への印刷である場合、前記電子写真プロセスの高圧立ち下げ、前記画像形成部の回転駆動停止、前記定着加圧回転体の回転駆動停止を行い、
定着のヒータ駆動の温度を低下させ、２面目の再給紙とともに前記画像形成部の回転駆動再開、前記電子写真プロセスの高圧立ち上げ、前記定着加圧回転体の回転駆動再開を行い、定着のヒータ駆動の温度を上昇させて２面目の印刷動作へ移行させ、
前記記録部材の１面目の印刷動作終了時に次に印刷動作が予約されており、予約されている印刷動作の印刷条件がその記録部材の２面目への印刷ではない場合、前記電子写真プロセスの高圧立ち下げ、前記画像形成部の回転駆動停止を行うことなく、次に予約されている印刷動作へ移行させることを特徴とする請求項１０又は１１に記載の印刷装置。
【請求項１３】
前記印刷制御手段は、前記記録部材の１面目の印刷動作終了時に次に実行不可能な印刷動作が予約されている場合、電子写真プロセスの高圧立ち下げ、前記画像形成部の回転駆動停止、前記定着加圧回転体の回転駆動停止を行い、定着のヒータ駆動の温度を低下させ、前記電子写真プロセスの走査を行うスキャナモータの回転駆動を停止して、待機状態へ移行させることを特徴とする請求項１０〜１２のいずれかに記載の印刷装置。
【請求項１４】
前記定着加圧回転体を加熱させるヒータの駆動を制御するヒータ駆動制御手段をさらに備え、前記ヒータ駆動制御手段は、前記記録部材の１面目の印刷に引き続いて該記録部材の２面目を印刷する場合、前記定着加圧回転体の回転を停止させている期間、前記ヒータの駆動を行わないことを特徴とする請求項１０〜１３のいずれかに記載の印刷装置。
【請求項１５】
前記定着装置は熱ローラ方式の定着装置であることを特徴とする請求項１〜１４のいずれかに記載の印刷装置。
【請求項１６】
前記定着装置はフィルム加熱方式の定着装置であることを特徴とする請求項１〜１４のいずれかに記載の印刷装置。
【請求項１７】
記録媒体上に未定着画像を形成する画像形成部と、
定着回転体を有し、記録媒体上に形成された未定着画像を定着する定着器と、
或る頁に引き続く次頁に関するデータを受けている場合、前記或る頁の画像定着後、少なくとも所定時間定着回転体を回転させる第１モードと、次頁に関するデータを受けているにも拘わらず所定時間を待たずに停止させる第２モードとを有する定着回転制御手段とを備えることを特徴とする印刷装置。
【請求項１８】
前記定着回転制御手段は、第２モードでは、前記定着回転体の回転の停止の後、次頁の画像定着のために前記定着回転体の回転を再スタートさせることを特徴とする請求項１７に記載の印刷装置。
【請求項１９】
前記或る頁が記録媒体の第１面に対応し、前記次頁がその記録媒体の第２面に対応する場合、第２モードが選択されることを特徴とする請求項１８に記載の印刷装置。
【請求項２０】
前記定着回転体が停止している間、ヒータオフ又は温度が低くなるように制御されることを特徴とする請求項１７〜１９のいずれかに記載の印刷装置。
【請求項２１】
前記画像形成部は、回転ポリゴンミラーを有し、第２モードで前記定着回転体が停止しているときであっても、前記回転ポリゴンミラーの回転は継続されることを特徴とする請求項１７〜２０のいずれかに記載の印刷装置。
【請求項２２】
印刷されるべき頁に関するデータは、印刷条件を特定する頁ごとの印刷動作の予約指示であることを特徴とする請求項１７〜２１のいずれかに記載の印刷装置。
【請求項２３】
第１モードおよび第２モードは、さらに前記予約指示に基づいて選択されることを特徴とする請求項２２に記載の印刷装置。
【請求項２４】
前記定着回転体は、前記画像形成部の回転体とは独立に制御可能であることを特徴とする請求項１７〜１９のいずれかに記載の印刷装置。
【手続補正２】
【補正対象書類名】明細書
【補正対象項目名】００２８
【補正方法】変更
【補正の内容】
【００２８】
また、前記定着装置はフィルム加熱方式の定着装置とすることができる。
本発明の第３の側面によれば、本発明にかかる印刷装置は、本発明にかかる記録媒体上に未定着画像を形成する画像形成部と、定着回転体を有し、記録媒体上に形成された未定着画像を定着する定着器と、或る頁に引き続く次頁に関するデータを受けている場合、前記或る頁の画像定着後、少なくとも所定時間定着回転体を回転させる第１モードと、次頁に関するデータを受けているにも拘わらず所定時間を待たずに停止させる第２モードとを有する定着回転制御手段とを備える。
ここで、前記定着回転制御手段は、第２モードでは、前記定着回転体の回転の停止の後、次頁の画像定着のために前記定着回転体の回転を再スタートさせるものとすることができる。
ここで、前記或る頁が記録媒体の第１面に対応し、前記次頁がその記録媒体の第２面に対応する場合、第２モードが選択されるものとすることができる。
また、前記定着回転体が停止している間、ヒータオフ又は温度が低くなるように制御されるものとすることができる。
また、前記画像形成部は、回転ポリゴンミラーを有し、第２モードで前記定着回転体が停止しているときであっても、前記回転ポリゴンミラーの回転は継続されるものとすることができる。
また、印刷されるべき頁に関するデータは、印刷条件を特定する頁ごとの印刷動作の予約指示とすることができる。
ここで、第１モードおよび第２モードは、さらに予約指示に基づいて選択されるものとすることができる。
また、前記定着回転体は、前記画像形成部の回転体とは独立に制御可能とすることができる。